(57)【要約】【課題】ノイズの影響を低減しつつ検知感度を高める。【解決手段】液晶表示コントローラ（２０）が、タッチセンサ（３０）の検出面に対する指示体の距離が所定値以下の場合はタッチ検出モード、上記指示体の距離が所定値より大きい場合は近接モードで液晶表示パネル（４０）の表示更新を行うとともに、タッチセンサコントローラ（１０）の座標算出部（１２Ａ）が更新期間では第１検出感度、休止期間では第１検出感度より高感度で検出動作を行う。【選択図】図１
2015141538.tif 000002
【特許請求の範囲】
【請求項１】
指示体に対応する、タッチパネルの検出面における位置を検出する検出動作を行う位置検出手段と、
上記タッチパネルに対する上記指示体の距離を特定する距離特定手段と、
上記距離特定手段が特定した上記指示体の上記距離が所定値以下の場合は、第１リフレッシュレートで上記タッチパネルの表示更新を行い、上記指示体の上記距離が上記所定値より大きい場合は、上記第１リフレッシュレートより低い第２リフレッシュレートで、上記タッチパネルの表示更新を行う表示制御手段と、を備え、
上記位置検出手段は、上記表示制御手段が上記表示更新を行う更新期間に対応して、第１検出感度で上記検出動作を行い、上記表示制御手段が上記表示更新を休止する休止期間に対応して、上記第１検出感度より高い第２検出感度で上記検出動作を行うことを特徴とするタッチパネル制御装置。
【請求項２】
上記タッチパネルに含まれる表示部は、画素電極と、上記画素電極に対向する対向電極とを備え、
上記表示制御手段は、上記タッチパネルの休止期間に上記対向電極が接地状態となるように上記タッチパネルを制御することを特徴とする、請求項１に記載のタッチパネル制御装置。
【請求項３】
上記位置検出手段は、上記第２検出感度で上記検出動作を行うことにより、上記タッチパネルから浮いている上記指示体に対応する上記位置を検出することを特徴とする請求項１または２に記載のタッチパネル制御装置。
【請求項４】
上記表示制御手段は、上記距離特定手段が特定した上記距離が大きくなるにつれ、上記タッチパネルのリフレッシュレートが低くなるように上記タッチパネルの上記リフレッシュレートを決定することを特徴とする、請求項１〜３のいずれか１項に記載のタッチパネル制御装置。
【請求項５】
請求項１〜４のいずれか１項に記載のタッチパネル制御装置と、
タッチパネルと、
上記タッチパネルの表示画面に表示する画像データを上記タッチパネル制御装置へと送信するホストと、を備えることを特徴とする情報処理装置。
【発明の詳細な説明】
【技術分野】
【０００１】
本発明はタッチパネルの駆動を制御するタッチパネル制御装置に関する。
【背景技術】
【０００２】
近年、指などの指示体の接触および近接を検出可能なタッチパネルが開発されている。例えば、特許文献１には、指示体とタッチパネルとの距離によって検知分解能および検知感度を調節する技術が開示されている。
【先行技術文献】
【特許文献】
【０００３】
【特許文献１】特開２００８−１１７３７１号公報（２００８年  ５月２２日公開）
【特許文献２】特開２００９−２９４９０３号公報（２００９年１２月１７日公開）
【発明の概要】
【発明が解決しようとする課題】
【０００４】
タッチパネルへの指示体の近接は、例えばタッチセンサの検出感度を上昇させることにより、検知可能である。しかしながら、タッチセンサの検出感度を上昇させると、タッチセンサの検出結果が、表示装置の駆動に伴い発生する液晶ノイズの影響をより強く受けてしまうという問題がある。液晶ノイズの影響を低減するため、表示装置の垂直または水平ブランキング期間にタッチパネルを駆動する技術が開発されている（特許文献２など）。しかしながら、上記技術は液晶ノイズが生じない短期間にタッチ検出を行う技術であるため、ホバー検出のために必要なセンシングの期間を確保することができない。
【０００５】
一方、特許文献１に記載の技術では、タッチセンサと液晶表示パネルとの間に保護板ガラスを挿入することで液晶ノイズの影響を抑えており、始めから液晶ノイズを取り除いてあることを前提としており、ホバー検出時に液晶ノイズの影響は考慮されていない。そのため、例えばスマートフォン、タブレット端末などの中小型のタッチパネルなど保護板ガラスを挿入できないタッチパネルで特許文献１に記載のホバー検出を行うと、液晶ノイズの影響により誤検出が多くなるという問題があった。
【０００６】
本発明は上記問題を鑑みてなされたものであり、その目的は、ノイズの影響を低減しつつタッチパネルの検知感度を高めることが可能なタッチパネル制御装置を実現することにある。
【課題を解決するための手段】
【０００７】
上記の課題を解決するために、本発明の一態様に係るタッチパネル制御装置は、指示体に対応する、タッチパネルの検出面における位置を検出する検出動作を行う位置検出手段と、上記タッチパネルに対する上記指示体の距離を特定する距離特定手段と、上記距離特定手段が特定した上記指示体の上記距離が所定値以下の場合は、第１リフレッシュレートで上記タッチパネルの表示更新を行い、上記指示体の上記距離が上記所定値より大きい場合は、上記第１リフレッシュレートより低い第２リフレッシュレートで、上記タッチパネルの表示更新を行う表示制御手段と、を備え、上記位置検出手段は、上記表示制御手段が上記表示更新を行う更新期間に対応して、第１検出感度で上記検出動作を行い、上記表示制御手段が上記表示更新を休止する休止期間に対応して、上記第１検出感度より高い第２検出感度で上記検出動作を行うことを特徴としている。
【発明の効果】
【０００８】
本発明の一態様によると、ノイズの影響を低減しつつタッチパネルの検知感度を高めることができるという効果を奏する。
【図面の簡単な説明】
【０００９】
【図１】本発明の実施形態１に係るタッチパネル制御装置の処理の流れを示すフローチャートである。
【図２】上記タッチパネル制御装置を搭載した情報処理装置の要部構成を示すブロック図である。
【図３】上記タッチパネル制御装置において、液晶駆動モードを決定する処理の流れを示すフローチャートである。
【図４】上記タッチパネル制御装置において、検出モードを制御する処理の流れを示すフローチャートである。
【図５】上記タッチパネル制御装置から発信される同期信号と、液晶表示パネルの駆動およびタッチセンサの検出動作の切替えとを示すタイミングチャートである。
【図６】本発明の実施形態２に係るタッチパネル制御装置から発信される同期信号と、液晶表示パネルの駆動およびタッチセンサの検出動作の切替えとを示すタイミングチャートである。
【発明を実施するための形態】
【００１０】
〔実施形態１〕
本発明の第１の実施形態について説明すれば、以下の通りである。なお、以降の実施形態においては、一例として、本発明に係るタッチパネル制御装置を搭載した情報処理装置１００について説明する。図２は、情報処理装置１００の要部構成を示すブロック図である。情報処理装置１００は図示の通り、タッチパネル制御装置１、タッチパネル２、およびホスト３を備えている。
【００１１】
≪情報処理装置の要部構成≫
タッチパネル２は、入力装置と表示装置とが一体に形成されたタッチパネルである。タッチパネル２は、タッチパネル制御装置１の検出制御にしたがって、検出面に対する指示体の位置を検出するための信号をタッチパネル制御装置１へと送信する。また、タッチパネル２は、タッチパネル制御装置１の表示制御にしたがって自己の表示画面に画像データを表示する。ここで、「画像データ」とは、タッチパネル２が表示する１フレーム分の画像を示す。
【００１２】
タッチパネル制御装置１は、タッチパネル２を制御するものである。タッチパネル制御装置１は、タッチパネル２の検出結果から、タッチパネルの検出面に対する指示体の位置および距離を検出し、ホスト３へと送信する。タッチパネル制御装置１はまた、ホスト３から受信した画像データをタッチパネル２の表示画面に表示させる。
【００１３】
ホスト３は、情報処理装置１００が備える各種機能やアプリケーションを実行するものである。ホスト３は、タッチパネル制御装置１から指示体の位置および距離を受信し、実行中の機能またはアプリケーションにおいて、当該位置に応じた各種演算処理を実行する。また、ホスト３は、各種機能およびアプリケーションの実行により、タッチパネル２の表示画面（後述の液晶表示パネル４０の表示面）に表示させる画像データを生成し、当該画像データをタッチパネル制御装置１に提供することにより、液晶表示パネル４０の表示画面を更新させる。
【００１４】
具体的には、ホスト３は、タッチパネル制御装置１からタッチパネル２（後述のタッチセンサ３０）の検出面に対する指示体の接触位置の座標（タッチ座標）またはタッチパネル２の検出面に対し、指示体が浮いた状態で近接している位置の座標（ホバー座標）を受信する。そして、ホスト３は、実行中の機能等において、受信したタッチ座標およびホバー座標に対応する処理を行う。そして、ホスト３は、上記タッチ座標およびホバー座標、すなわちユーザの操作をトリガとして画像データを生成し、後述の液晶駆動モード決定部１３から通知されるリフレッシュレートに応じてタッチパネル制御装置１へと画像データ送信することで、タッチパネル制御装置１にタッチパネル２の表示画面の更新（表示更新）を行わせる。
【００１５】
なお、タッチ座標とは上述の通り指示体の接触を示すものである。したがって、タッチ座標は、上記機能等において、例えば文字入力のような、細かな入力操作として処理されることが望ましい。一方、ホバー座標は、上述の通り指示体がタッチパネル２から浮いた状態を示す。そのため、ホバー座標に係る入力は、上記機能等において、例えばフリック操作やボタンタッチなど、おおまかな座標で判別可能な操作として処理されることが望ましい。
【００１６】
なお、ホスト３は、タッチパネル制御装置１からタッチセンサ３０の検出面に対する指示体の距離を受信してもよい。なお、この場合、指示体の位置を示す座標は、タッチ座標とホバー座標とに区別されていなくてもよく、当該座標と、上記指示体の距離とから、指示体が接触したのか、または非接触で近接したのかを判別してもよい。
【００１７】
≪タッチパネルの要部構成≫
次に、タッチパネル２の要部構成を説明する。図示の通り、タッチパネル２はタッチセンサ３０および液晶表示パネル４０（表示部）を備える。タッチセンサ３０は、指示体に対応する、タッチパネルの検出面における位置と、タッチパネルに対する指示体の距離とに応じた入力信号を発するものである。より具体的には、タッチセンサ３０は、指やスタイラスペン等の指示体の接触（タッチ）および近接（ホバー）を電気信号として検出するセンサである。後述するセンサ駆動部１４によりタッチセンサ３０に駆動信号が供給されると、タッチセンサ３０から電気信号が出力される。以降、タッチセンサ３０に駆動信号を供給することを、「タッチセンサを駆動する」と称する。また、タッチセンサ３０が出力する電気信号を「センサ信号」と称する。
【００１８】
液晶表示パネル４０は、画像データを表示する表示装置であり、表示画面のリフレッシュレートが変更可能な表示装置である。液晶表示パネル４０は、液晶表示コントローラ２０により駆動され、表示制御（表示画面を更新）される。なお、液晶表示パネル４０はタッチセンサ３０と一体に形成可能であってリフレッシュレートが変更可能な表示装置であればよく、その種類は特に限定されない。例えば、液晶表示パネル４０として、ＴＦＴ（Thin-Film Transistor）の半導体層に酸化物半導体を用いたディスプレイを用いることができる。酸化物半導体の具体例としては、例えばインジウム・ガリウム・亜鉛を含む酸化物（Ｉｎ−Ｇａ−Ｚｎ−Ｏ）が挙げられる。上記酸化物半導体のＴＦＴはリーク電力が少ないので、一般のＴＦＴに比べ長時間電位を維持できるという特性を持つ。その結果、上記酸化物半導体のＴＦＴを用いたディスプレイは、リフレッシュレートを約１Ｈｚまで低減することができる。上記酸化物半導体のＴＦＴを用いたディスプレイでも一般的なディスプレイと同じリフレッシュレート（約６０Ｈｚ）は実現可能であるので、酸化物半導体のＴＦＴを用いたディスプレイは、表示画面のリフレッシュレートを約１Ｈｚ〜約６０Ｈｚの間で変更することができる。
【００１９】
≪タッチパネル制御装置の要部構成≫
続いて、タッチパネル制御装置１の要部構成を説明する。図示の通り、タッチパネル制御装置１は、液晶表示コントローラ２０（表示制御手段）と、タッチセンサコントローラ１０とを含む。液晶表示コントローラ２０は、液晶表示パネル４０の駆動を制御するものである。液晶表示コントローラ２０は、液晶駆動モード決定部１３から液晶駆動モードを示す情報を受信し、当該情報に応じて液晶表示パネル４０の液晶駆動モードを切替える。また、液晶表示コントローラ２０は、液晶駆動モードに応じた発信間隔および発信パターンで、液晶表示パネル４０の垂直同期信号と、水平同期信号および休止信号を生成する。
【００２０】
ここで、「休止信号」とは、液晶表示パネル４０の駆動を休止する期間を示す信号である。以降、休止信号が発信されている期間を「休止期間」と称する。休止期間は、液晶表示コントローラ２０は液晶表示パネル４０を駆動させない（表示更新を休止させる）。そのため、休止期間中は液晶表示パネル４０の表示駆動に係るノイズ（液晶ノイズ）は発生しない。一方、「水平同期信号」とは、液晶表示パネル４０の１画面分の表示更新を行うために発信する、一連の水平同期信号のセットのことである。なお、当該セットには、水平ブランキング期間も含まれる。以降、上記１セットの水平同期信号（含む水平ブランキング期間）のことを単に「水平同期信号」と称する。また、水平同期信号が発信されている期間を「更新期間」と称する。更新期間のうち水平ブランキング期間を除いた期間は、液晶表示コントローラ２０は液晶表示パネル４０を表示更新（表示駆動）させる。そのため、液晶表示パネル４０において液晶ノイズが発生する。
【００２１】
そして、液晶表示コントローラ２０は、液晶表示パネル４０にホスト３から受信した画像データと、垂直同期信号および水平同期信号とを送信する。これにより、これらの信号が示すタイミングで、液晶表示パネル４０の表示画面の更新（表示制御）を実行する。また、液晶表示コントローラ２０は、タッチセンサコントローラ１０に水平同期信号および休止信号を送信する。なお、液晶表示コントローラ２０は、タッチセンサコントローラ１０および液晶表示パネル４０に、少なくとも上述の信号を送信すればよいが、例えばタッチセンサコントローラ１０に垂直同期信号も送信してよいし、液晶表示パネル４０に休止信号も送信してよい。
【００２２】
さらに、液晶表示コントローラ２０は、液晶表示パネル４０が休止期間に入る、すなわち液晶表示パネル４０に休止信号を送る場合に、液晶表示パネル４０を、当該液晶表示パネル４０の対向電極が接地状態（ＧＮＤ）になるよう制御してもよい。液晶表示パネル４０の対向電極をＧＮＤとすると、液晶表示パネル４０の対向電極が、液晶表示パネル４０からタッチセンサ３０に伝わるノイズをシールドする役割を果たす。そのため、タッチパネル制御装置１は、休止期間において上記ノイズを低減することができる。また、液晶表示コントローラ２０は、液晶表示パネル４０において表示更新が行われていない（画素に画像データが書き込まれていない）期間に、液晶表示パネル４０の画素電極に対向する対向電極を接地状態（ＧＮＤ）とするので、液晶表示パネル４０の画面の色変化を抑えつつ、上記ノイズを低減することができる。具体的には、例えば、対向電極と対向電極用電源との間にスイッチが設けられている。該スイッチは、更新期間において、対向電極を対向電極用電源に接続し、休止期間において、対向電極をＧＮＤに接続するよう、接続を切り替える。
【００２３】
タッチセンサコントローラ１０は、タッチセンサ３０の駆動を制御し、タッチセンサ３０の駆動により得られたセンサ信号から、タッチセンサ３０の検出面に対する指示体の接触または近接位置を算出するものである。算出された上記指示体の接触または近接位置は、ホスト３へ送信される。タッチセンサコントローラ１０は、さらに詳しくは、センサ信号取得部１１（信号取得手段）、タッチ情報生成部１２、液晶駆動モード決定部１３、およびセンサ駆動部１４（位置検出手段、距離特定手段）を含む。センサ信号取得部１１は、タッチセンサ３０からセンサ信号を取得し、タッチ情報生成部１２へと送信するものである。タッチ情報生成部１２は、センサ駆動部１４から通知された検出感度に応じて、センサ信号から、タッチセンサ３０の検出面に対する指示体の距離および座標を検出するものである。タッチ情報生成部１２は、さらに詳しくは、座標算出部１２Ａ（位置検出手段）と、距離算出部１２Ｂ（距離特定手段）とを含む。
【００２４】
なお、「検出感度」とは、タッチ情報生成部１２における指示体の座標（位置）および距離検出の感度を示す。換言すると、「検出感度」とは、タッチ情報生成部１２が、タッチパネルとどの程度離れた指示体の位置とその距離を検出可能か示しており、検出感度が高い場合、より遠くの指示体の位置および距離を検出可能である。検出感度は、タッチセンサ３０におけるセンシングの積分回数（タッチセンサ３０を駆動する回数）を増加させることにより上昇させることができる。
【００２５】
座標算出部１２Ａは、センサ信号から、指示体に対応する、タッチパネル２の検出面（タッチセンサ３０の検出面）における位置を検出する検出動作を行うものである。ここで、「指示体に対応する、タッチパネル２の検出面における位置」とは、タッチセンサ３０の検出面において指示体が接触（タッチ）した位置と、検出面に対し指示体が浮いた（ホバー）状態で近接している場合に、指示体の先端からタッチセンサ３０の検出面へ、当該検出面に垂直な直線を引いたときの、当該直線と検出面とが交わる位置とを示す。
【００２６】
具体的には、座標算出部１２Ａは検出感度に対応する（通知された検出感度が得られる）回数分のセンサ信号から、検出面において指示体が接触した位置の座標をタッチ座標として算出する。また、座標算出部１２Ａは、検出感度に対応する回数分のセンサ信号から、タッチセンサ３０の検出面に対し、指示体が浮いた状態で近接している位置をホバー座標として算出する。算出されたタッチ座標またはホバー座標は、ホスト３へ送信される。
【００２７】
タッチセンサ３０の検出面に対し指示体が接触または浮いた状態で近接している場合、タッチセンサ３０の検出面にて静電容量が変化する。したがって、指示体が接触または近接しているときに生じるセンサ信号も変化する。座標算出部１２Ａは、当該変化の分布および大きさから、タッチ座標またはホバー座標を検出する。なお、このとき、座標算出部１２Ａは、後述するセンサ駆動部１４から通知された検出感度に応じた数のセンサ信号から、タッチ座標またはホバー座標を算出する。
【００２８】
距離算出部１２Ｂは、センサ信号から、タッチセンサ３０の検出面に対する指示体の距離を算出するものである。距離算出部１２Ｂは、センサ信号取得部１１から受信したセンサ信号が示す静電容量の変化量、およびセンサ駆動部１４から通知された検出感度から、指示体の距離を算出する。以降、タッチセンサ３０の検出面に対する指示体の距離を単に「指示体の距離」と称する。
【００２９】
なお、検出感度の上昇に伴い、タッチ情報生成部１２における分解能（指示体の位置検出の精度）が低下する場合であっても、タッチ情報生成部１２は、当該検出感度および分解能で指示体の位置および距離を算出すればよい。タッチ情報生成部１２は、タッチパネルから浮いている指示体の座標（ホバー座標）および当該指示体の距離を検出するために検出感度を上昇させる。ホスト３に送信されたホバー座標は上述の通り、ボタンタッチやフリック等、精密に座標を特定する必要のない動作として処理されるので、当該ホバー座標の検出の際、検出感度の上昇により分解能が下がったとしても、ホスト３での処理精度は変化する可能性が少ないからである。
【００３０】
液晶駆動モード決定部１３は、液晶表示パネル４０の駆動モード（液晶駆動モード）を決定するものである。決定された液晶駆動モード（リフレッシュレート）は、液晶表示コントローラ２０およびホスト３へと送信される。ここで、液晶駆動モードとは、少なくとも液晶表示パネル４０のリフレッシュレートを規定する。なお、液晶駆動モード決定部１３は、少なくとも、第１の液晶駆動モード（第１リフレッシュレート）と、当該第１の液晶駆動モードよりもリフレッシュレートが低い第２の液晶駆動モード（第２リフレッシュレート）とを決定できればよい。液晶駆動モード決定部１３は、距離算出部１２Ｂから受信した指示体の距離が所定値以下の場合は、液晶駆動モードを第１の液晶駆動モードとし、指示体の距離が上記所定値より大きい場合は、液晶駆動モードを第２の液晶駆動モードとする。ここで、上記所定値とは、情報処理装置１００において、「指示体がタッチセンサ３０に接触している」と判定するか否かの閾値である。換言すると、上記指示体の距離が所定値以下の場合とは、指示体がタッチセンサ３０の検出面に接触（タッチ）している場合であり、指示体の距離が所定値より大きい場合とは、指示体がタッチセンサ３０の検出面から浮いている（ホバー）場合である。以降、上記所定値を「第１の閾値」と称する。
【００３１】
（液晶駆動モードの規定）
次に、本実施形態における液晶駆動モードの設定について詳細に説明する。本実施形態では、上記第１の液晶駆動モードを「タッチ検出モード」と称し、上記第２の液晶駆動モードを「近接モード」と称する。さらに、本実施形態では、液晶表示パネル４０のリフレッシュレートが「近接モード」よりさらに低い「ホバー検出モード」という液晶駆動モードを設けることとする。そして、本実施形態では、タッチ検出モードのリフレッシュレートを６０Ｈｚ、近接モードのリフレッシュレートを４０Ｈｚ、ホバー検出モードのリフレッシュレートを３０Ｈｚとして説明するが、これに限らない。また、本実施形態では、上述の各液晶駆動モードは垂直同期信号の周波数と、更新期間と休止期間との比率と、垂直同期信号および水平同期信号の発信パターンとを規定する。
【００３２】
さらに、本実施形態では、垂直同期信号の周波数は各液晶駆動モードに関わらず一定とし、更新期間と休止期間との比率および上記発信パターンを液晶駆動モードにより変更することとする。また、上記発信回数の割合は、「タッチ検出モード」で１とする。
【００３３】
（閾値設定および液晶駆動モードの決定処理）
続いて、本実施形態において、液晶駆動モード決定部１３が液晶駆動モードの決定に用いる閾値（所定値）と、当該決定処理とについて、図３を用いて詳細に説明する。
【００３４】
本実施形態では、液晶駆動モード決定部１３は指示体の距離と、上述した第１の閾値および第２の閾値との大小を判定することにより液晶駆動モードを決定する。ここで、「第２の閾値」とは、第１の閾値より大きい値、すなわち遠い距離を示す値である。なお、本発明において第２の閾値は必須ではない。すなわち、液晶駆動モード決定部１３は、距離算出部１２Ｂから受信した指示体の距離から、第１の閾値以下か否か、すなわち、当該指示体がタッチセンサ３０の検出面に接触しているか浮いているかを判定できればよい。また、第１の閾値および第２の閾値は、ユーザが自由に設定および変更できる値であってもよい。
【００３５】
次に、液晶駆動モードを決定する処理の流れについて、図３を用いて詳細に説明する。図３は、液晶駆動モード決定部１３の液晶駆動モードを決定する処理の流れを示すフローチャートである。液晶駆動モード決定部１３は、距離算出部１２Ｂから指示体の距離を示す情報を受信すると、指示体の距離と第１の閾値および第２の閾値との大小関係を判定する（Ｓ１４２）。指示体の距離が第１の閾値以下の場合（Ｓ１４２で「第１の閾値以下」）、液晶駆動モード決定部１３は液晶駆動モードを「タッチ検出モード」と決定する（Ｓ１４４）。一方、指示体の距離が第１の閾値より大きく、第２の閾値より小さい場合（Ｓ１４２で「第１の閾値より大きく第２の閾値より小さい」）液晶駆動モード決定部１３は液晶駆動モードを「近接モード」と決定する（Ｓ１４６）。他方、指示体の距離が第２の閾値以上の場合（Ｓ１４２で「第２の閾値以上」）、液晶駆動モード決定部１３は液晶駆動モードを「ホバー検出モード」と決定する（Ｓ１４８）。
【００３６】
センサ駆動部１４は、タッチセンサ３０の駆動を制御するものである。センサ駆動部１４は、液晶表示コントローラ２０から水平同期信号（および垂直同期信号）を受信すると、タッチ情報生成部１２にて第１検出感度で指示体の位置および距離が算出可能になる回数分、タッチセンサ３０を駆動させる。一方、センサ駆動部１４は、液晶表示コントローラ２０から休止信号を受信すると、タッチ情報生成部１２にて、第１検出感度より高い検出感度（第２検出感度）で指示体の位置および距離が算出可能になる回数分、タッチセンサ３０を駆動させる。
【００３７】
ところで、タッチ情報生成部１２における指示体の位置および距離の検出感度は、上述の通り、タッチセンサ３０を駆動する回数が多い（１回の位置および距離算出に使用する情報が多い）ほど高くなる。タッチセンサ３０を単位時間あたりに駆動できる回数には限度があるため、実質的には、センサ駆動部１４がタッチセンサ３０を駆動する期間が長いほど、タッチ情報生成部１２における検出感度は高くなる。したがって、センサ駆動部１４は、タッチセンサ３０の駆動を第１検出感度より長期間行うことにより第２検出感度を実現することができる。本実施形態では一例として、第１検出感度ではタッチセンサ３０を８回駆動し、当該８回分のセンサ信号から指示体の位置および距離を検出することとする。また、第２検出感度ではタッチセンサ３０を３２回駆動し、当該３２回分のセンサ信号から指示体の位置および距離を検出することとする。
【００３８】
なお、第１検出感度は、タッチセンサ３０の検出面に対する指示体の接触を検出可能で、接触していない指示体を検出不可能な程度に低い検出感度であってもよい。第１検出感度に対応する回数分タッチセンサ３０を駆動させる場合とは、センサ駆動部１４が液晶表示コントローラ２０から水平同期信号を受信している場合である。換言すると、センサ駆動部１４は液晶表示パネル４０の更新期間に、第１検出感度に対応する回数分タッチセンサ３０を駆動させる。更新期間で発生する液晶ノイズは、タッチセンサ３０の検出感度が高いほど、タッチセンサ３０が出力するセンサ信号により強い影響を与える。そのため、第１の検出感度を指示体の接触を検出可能で、接触していない指示体を検出不可能な程度に低い検出感度とすることにより、タッチセンサ３０から出力されるセンサ信号に対する液晶ノイズの影響を最小限に抑えることができる。したがって、座標算出部１２Ａや距離算出部１２Ｂにおいて、液晶ノイズを指示体の接触等と誤検出することを防ぐことができる。
【００３９】
また、上記第２検出感度は、タッチセンサ３０の検出面から浮いている指示体を検出可能な程度に高い検出感度であることが望ましい。第２検出感度に対応する回数分タッチセンサ３０を駆動させる場合とは、センサ駆動部１４が液晶表示コントローラ２０から休止信号を受信している場合である。換言すると、センサ駆動部１４は液晶表示パネル４０の休止期間に第２検出感度に対応する回数分タッチセンサ３０を駆動させる。休止期間では液晶ノイズは発生しない。そのため、第２検出感度を上記浮いている指示体を検出可能な程度に高感度な検出感度としても、タッチセンサ３０から出力されるセンサ信号は液晶ノイズの影響を受けない。したがって、座標算出部１２Ａや距離算出部１２Ｂにおいて、液晶ノイズを指示体の接触等と誤検出してしまうことなく、指示体の座標や距離を算出することができる。
【００４０】
（検出感度決定処理）
次に、センサ駆動部１４が検出モードを決定する処理の流れについて、図４を用いて説明する。図４は、センサ駆動部１４が検出モードを決定する処理の流れを示すフローチャートである。センサ駆動部１４は、液晶表示コントローラ２０から同期信号を受信すると、当該同期信号の種類を判定する（Ｓ１８２）。同期信号が水平同期信号の場合（Ｓ１８２で「水平同期信号」）、センサ駆動部１４は、タッチセンサ３０の検出感度を第１検出感度と決定し、受信した水平同期信号に対応する液晶表示パネル４０の更新期間中に、第１検出感度に対応する回数分（例えば８回）タッチセンサ３０を駆動する（Ｓ１８４）。一方、液晶表示コントローラ２０から受信した同期信号が休止信号である場合（Ｓ１８２で「休止信号」）、センサ駆動部１４はタッチセンサ３０を、第１検出感度よりも多い回数分（例えば３２回）駆動させる（Ｓ１８６）。
【００４１】
上記処理によると、センサ駆動部１４は、液晶表示パネル４０の休止期間中は、タッチセンサ３０の検出感度を高感度にする。一方、液晶表示パネル４０の更新期間中は、タッチセンサ３０の検出感度を、上記休止期間中の検出感度より低感度に抑える。これにより、タッチパネル制御装置１は、更新期間中においては液晶表示パネル４０の液晶ノイズの影響を極力抑えることができる一方、休止期間中においてはタッチセンサ３０の検出感度を上昇させることができる。
【００４２】
なお、本実施形態では、センサ駆動部１４は、第１の検出感度に対応する回数分タッチセンサ３０を駆動させる場合、当該駆動を、更新期間のうち水平ブランキング期間にて行うこととする。水平ブランキング期間は、更新期間ではあるが水平期間より発生するノイズが少ない期間である。したがって、タッチパネル制御装置１は第１の検出感度での検出動作においても、液晶ノイズを低減することができる。
【００４３】
≪表示駆動およびタッチセンサの検出感度の切替え≫
続いて、液晶駆動モードにより規定された同期信号の周期（発信パターン）と、液晶表示パネル４０およびタッチセンサ３０の駆動との関係を、図５を用いて説明する。図５は、液晶駆動モードにより規定された同期信号の周期（発信パターン）と、液晶表示パネル４０およびタッチセンサ３０の駆動とを示すタイミングチャートである。なお、図５の（ａ）は液晶表示パネル４０の液晶駆動モードが「タッチ検出モード」の場合のタイミング制御を示している。また、図５の（ｂ）は液晶表示パネル４０の液晶駆動モードが「近接モード」の場合のタイミング制御を示している。そして、図５の（ｃ）は、液晶表示パネル４０の液晶駆動モードが「ホバー検出モード」の場合のタイミング制御を示している。なお、図５の（ａ）〜（ｃ）において、「Ｖ同期信号」行は、垂直同期信号の発信間隔および発信期間を示している。同様に、「Ｈ同期信号」行は、水平同期信号の発信タイミングおよび発信期間を示しており、「休止信号」行は、休止信号の発信タイミングおよび発信期間を示している。また、「液晶駆動」行は、液晶表示パネル４０の更新期間および表示更新（表示駆動）の間隔を示している。そして、「タッチセンサ」行は、タッチ情報生成部１２における検出感度の高低を文字で、それに対応するタッチセンサ３０の駆動期間（駆動回数）を矢印の長さで示している。なお、「Ｈ同期信号」行では、１画面（１垂直期間）分の水平同期信号を便宜上１つの信号であるかのように記載しているが、１セットの水平同期信号（１つのパルスに見える部分）は、走査信号線の数に対応した複数の水平同期信号と複数の水平ブランキング期間とを含んでいる。
【００４４】
本実施形態におけるタッチパネル制御装置１では、図示の通り、液晶表示コントローラ２０が発信する垂直同期信号の周波数は一定であり、その発信間隔も一定である。一方、液晶表示コントローラ２０が発信する水平同期信号の発信間隔および発信パターンは、液晶駆動モードにより変化する。図５の（ａ）に示すように、液晶駆動モードが「タッチ検出モード」の場合、液晶表示コントローラ２０は垂直同期信号を発信するときに必ず、水平同期信号を発信する。換言すると、「タッチ検出モード」における同期信号の発信パターンでは、垂直同期信号と水平同期信号とがセットで液晶表示パネル４０に送信される一方、休止信号の送信は行われない。そして、センサ駆動部１４は、水平同期信号に応じて、タッチセンサ３０を第１検出感度（「検出感度：低」）に対応する回数分駆動させる。
【００４５】
一方、図５の（ｂ）および（ｃ）に示すように、液晶駆動モードが「近接モード」または「ホバー検出モード」の場合、液晶表示コントローラ２０は、液晶駆動モードにて規定された発信パターンに従って、垂直同期信号と、水平同期信号または休止信号とを送信する。
【００４６】
液晶駆動モードが「近接モード」の場合（図５の（ｂ））、液晶表示コントローラ２０は、３垂直期間のうち、２垂直期間においては垂直同期信号とともに水平同期信号を生成する。一方、１垂直期間においては、垂直同期信号とともに休止信号を生成する。換言すると、液晶表示コントローラ２０は、３垂直期間のうち１垂直期間において液晶表示パネル４０の表示駆動を間引く（表示駆動を行わない）。このように、近接モードにおいては、液晶表示コントローラ２０は３垂直期間を１周期として、同期信号の送信を繰り返す。
【００４７】
さらに、上述の周期に対応してセンサ駆動部１４にて決定される検出感度も切替わる。また、これによりセンサ駆動部１４がタッチセンサ３０を駆動させる回数も切替わる。具体的には、具体的には、センサ駆動部１４は、水平同期信号を受信した場合は検出感度を第１検出感度（「検出感度：低」）と決定する。また、センサ駆動部１４は、休止信号を受信した場合は検出感度を第２検出感度（「検出感度：高」）と決定する。結果として、タッチセンサ３０は、３垂直期間のうち２垂直期間は第１検出感度に対応する回数（８回）分駆動され、残りの１垂直期間は第２検出感度に対応する回数（３２回）分駆動される。
【００４８】
一方、液晶駆動モードが「ホバー検出モード」の場合（図５の（ｃ））、液晶表示コントローラ２０は、１垂直期間毎に、垂直同期信号とともに水平同期信号および休止信号のいずれか一方を交互に生成する。換言すると、液晶表示コントローラ２０は、２垂直期間のうち１垂直期間において、液晶表示パネル４０の表示駆動を間引く。このように、ホバー検出モードにおいては、液晶表示コントローラ２０は２垂直期間を１周期として、同期信号の生成を繰り返す。そして、センサ駆動部１４にて決定される検出感度も、上記周期に応じて第１検出感度および第２検出感度に交互に切り替わり、センサ駆動部１４がタッチセンサ３０を駆動させる回数も交互に切替わる。
【００４９】
このように、本実施形態では、液晶駆動モードの設定に応じて特定の周期で液晶表示パネル４０の表示駆動を間引くことにより、間引いた表示駆動に対応する期間を休止期間とする。休止期間中は、液晶表示パネル４０は駆動しないので、タッチパネル制御装置１は、液晶ノイズの影響を受けることなくタッチセンサ３０の検出動作を行うことができる。したがって、液晶ノイズの影響を低減しつつタッチパネルの検知感度を高めることができる。
【００５０】
なお、センサ駆動部１４は、垂直ブランキング期間を含む期間にタッチセンサ３０を駆動させてもよい。例えば、センサ駆動部１４は、更新期間およびその直後の垂直ブランキング期間に第１の検出感度に対応するタッチセンサ３０の駆動を行い、休止期間およびその直後の垂直ブランキング期間に、第２の検出感度に対応するタッチセンサ３０の駆動を行えばよい。
【００５１】
≪タッチパネル制御装置の処理の流れ≫
最後に、本実施形態に係るタッチパネル制御装置１における処理の流れを、図１を用いて説明する。図１は、タッチパネル制御装置１の行う処理の流れを示すフローチャートである。なお、図中のＳ１４の処理は図３に示した処理に対応しており、Ｓ１８の処理は図４に示した処理に対応している。タッチセンサ３０がセンサ駆動部１４により駆動されたとき、指示体が接触または近接していると、タッチセンサ３０から生じるセンサ信号が変化する。センサ信号取得部１１を介してセンサ信号を受信したタッチ情報生成部１２の距離算出部１２Ｂは、当該変化から、指示体とタッチパネル２との距離（タッチセンサ３０の検出面に対する指示体の距離）を算出する（Ｓ１２）。そして、液晶駆動モード決定部１３は、算出された指示体の距離に応じて、液晶駆動モードを決定する（Ｓ１４）。次に、液晶表示コントローラ２０は、液晶駆動モード決定部１３が決定した液晶駆動モードの設定に従い、液晶表示パネル４０を駆動または休止させる。このとき、当該駆動または休止のために生成する同期信号（水平同期信号または休止信号）はセンサ駆動部１４に送信される。センサ駆動部１４は、上記同期信号を受信すると（Ｓ１６でＹＥＳ）、当該同期信号の種類に応じて、タッチ情報生成部１２における指示体の位置および距離検出の検出感度を決定し、当該検出感度が得られるようにタッチセンサ３０を駆動させる（Ｓ１８）。なお、センサ駆動部１４は、同期信号を受信するまでは（Ｓ１６でＮＯ）、前回決定した検出感度に対応する駆動回数分、タッチセンサ３０を駆動させる。
【００５２】
なお、距離算出部１２Ｂは、センサ駆動部１４から通知された検出感度が第１の検出感度である場合で、第１の検出感度が、指示体の接触を検出可能かつ接触していない指示体を検出不可能な程度に低い検出感度である場合は、センサ信号がある閾値を超え、タッチを検出した時点で、指示体の距離をゼロ（または近接を示す、ごく小さい値）と算出しても構わない。
【００５３】
〔実施形態２〕
本発明の第２の実施形態について説明する。なお、説明の便宜上、前記実施形態にて説明した部材と同じ機能を有する部材については、同じ符号を付記し、その説明を省略する。以降の実施形態でも同様である。本発明の一態様に係る表示制御装置１は、液晶駆動モードにより液晶表示パネル４０の垂直期間の長さを調節し、１垂直期間のなかで、表示駆動が終了した（水平同期信号が停止した）期間に休止信号を発することとしてもよい。
【００５４】
本実施形態における液晶駆動モードは、当該モードにより垂直同期信号の周波数（１垂直期間の長さ）を変化させる一方、更新期間と休止期間との比率と垂直同期信号および水平同期信号の発信パターンとは一定とする点で、実施形態１と異なる。なお、本実施形態でも、タッチ検出モードのリフレッシュレートを６０Ｈｚ、近接モードのリフレッシュレートを４０Ｈｚ、ホバー検出モードのリフレッシュレートを３０Ｈｚとして説明するが、この場合もこれら周波数に限定しない。したがって、本実施形態において、タッチ検出モードにおける１垂直期間は６０Ｈｚであり、近接モードにおける１垂直期間は４０Ｈｚであり、ホバー検出モードにおける１垂直期間は３０Ｈｚである。
【００５５】
さらに、本実施形態に係る液晶表示コントローラ２０は、垂直同期信号の発信を開始するときに必ず、水平同期信号を発信する点で実施形態１と異なる。さらに、上記液晶表示コントローラ２０は、１垂直期間において、水平同期信号の発信を停止すると休止信号を発信し、垂直期間が終わる（垂直同期信号の発信が停止する）まで休止信号を発信し続ける点でも実施形態１と異なる。以下、本実施形態における同期信号の周期と、液晶表示パネル４０およびタッチセンサ３０の駆動との関係を、図６を用いて説明する。図６は、同期信号の周期と、液晶表示パネル４０およびタッチセンサ３０の駆動とを示すタイミングチャートである。
【００５６】
図６の（ａ）に示すように、液晶駆動モードが「タッチ検出モード」の場合、液晶表示コントローラ２０は、垂直期間の長さを最も短く設定する。より具体的には、液晶表示コントローラ２０は、垂直同期信号を周波数６０Ｈｚで発信する。このとき、液晶表示コントローラ２０は水平同期信号も生成し、液晶表示パネル４０に垂直および水平同期信号を発信し、センサ駆動部１４に水平同期信号を発信する。そして、液晶表示パネル４０は垂直および水平同期信号に従って表示駆動を行い、センサ駆動部１４は水平同期信号に対応し検出感度を第１検出感度と決定し、タッチセンサ３０を第１検出感度（「検出感度：低」）に対応する回数分駆動させる。
【００５７】
一方、図６の（ｂ）および（ｃ）に示すように、液晶駆動モードが「近接モード」または「ホバー検出モード」の場合、液晶表示コントローラ２０は、水平同期信号の発信が停止したときに、センサ駆動部１４に休止信号を発信する。なお、図６の（ｂ）では、リフレッシュレートが４０Ｈｚであるので、更新期間と休止期間の長さの比は、２：１の比率となる。また、図６の（ｃ）では、リフレッシュレートが３０Ｈｚであるので、更新期間と休止期間は１：１の比率となる。センサ駆動部１４は休止信号を受信すると、検出感度を第２検出感度と決定し、タッチセンサ３０を第２検出感度（「検出感度：中」または「検出感度：高」）に対応する回数分駆動させる。このように、タッチセンサ３０は、１垂直期間中に、第１の検出感度での駆動と、第１の検出感度より高感度での駆動とを１回ずつ行う。なお、休止期間の長さは、図示の通りホバー検出モードの方が近接モードよりも長くなる。そのため、液晶駆動モードがホバー検出モードの場合は、近接モードのときよりも、タッチセンサ３０を多い回数駆動させることが可能である。結果、タッチ情報生成部１２における、指示体の位置および距離の検出感度は、近接モードでの検出感度よりも（「検出感度：中」）ホバー検出モードでの検出感度の方が高くなる（「検出感度：高」）。
【００５８】
このように、本実施形態に係るタッチパネル制御装置１は、液晶駆動モードの設定に応じて１垂直期間の長さを変化させる。また、タッチパネル制御装置１は、１垂直期間のうち、液晶表示パネル４０の駆動が終わった期間（および当該垂直期間の直後の垂直ブランキング期間）を休止期間とする。休止期間中は、液晶表示パネル４０は駆動しないので、タッチパネル制御装置１は、液晶ノイズの影響を受けることなくタッチセンサ３０の検出動作を行うことができる。そして、タッチパネル制御装置１は、このような休止期間を、指示体の距離が大きいほど長くとることができる。つまり、タッチパネル制御装置１は指示体の距離に応じて、タッチセンサ３０の検出感度をより細やかに調節することができる。
【００５９】
〔実施形態３〕
タッチパネル制御装置１の制御ブロックは、集積回路（ＩＣチップ）等に形成された論理回路（ハードウェア）によって実現してもよいし、ＣＰＵ（Central Processing Unit）を用いてソフトウェアによって実現してもよい。
【００６０】
後者の場合、タッチパネル制御装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６１】
〔変形例〕
本発明に係るタッチパネル制御装置１は、液晶表示パネル４０の画面更新が停止している場合、すなわち、指示体の位置を検出しても、ホスト３が表示画面の更新が必要ないと判断し、ホスト３から液晶表示コントローラ２０へと画像データが送信されなかった場合は、決定された液晶駆動モードでの液晶表示パネル４０の表示駆動は行わず、液晶表示パネル４０の表示駆動を休止させていてもよい。この場合、液晶表示コントローラ２０は、例えば生成した同期信号をセンサ駆動部１４に送信するなどして、センサ駆動部１４に、液晶駆動モードが規定する検出感度でタッチセンサ３０を駆動させればよい。換言すると、この場合、図５および図６の「液晶駆動」行に示した表示駆動は行わず、水平同期信号および休止信号のセンサ駆動部１４への発信や、タッチセンサ３０の駆動を行えばよい。
【００６２】
これにより、タッチパネル制御装置１は、液晶表示パネル４０の画面更新が停止している場合でも、指示体の距離に応じてタッチセンサ３０の検出感度を適切な感度に変更することができる。
【００６３】
なお、本発明において、液晶駆動モード決定部１３はホスト３に備えられていても構わない。つまり、ホスト３が、タッチ情報生成部１２から受信した指示体の距離から液晶駆動モード（液晶表示パネル４０のリフレッシュレート）を決定してもよい。この場合、ホスト３は、液晶表示コントローラ２０に画像データを送信するとき（液晶表示コントローラ２０に、液晶表示パネル４０の表示更新を行わせるとき）に、液晶表示コントローラ２０に画像データとともに、液晶駆動モードが通知される。
【００６４】
なお、本発明に係る情報処理装置１００において、ホスト３は、タッチパネル制御装置１にて検出した指示体の距離を、タッチセンサ３０および液晶表示パネル４０の駆動制御だけでなく、別機能として用いてもよい。具体的には、ホスト３は、指示体の距離を例えば近接センサの検出結果の代替として用いてもよい。これにより、情報処理装置１００は、指示体と、自装置との距離を測るためにセンサ等の別部品を備える必要がなくなる。そのため、情報処理装置１００は、タッチパネル２の縁を狭くする（狭額縁）ことができる。
【００６５】
〔まとめ〕
本発明の態様１に係るタッチパネル制御装置（タッチパネル制御装置１）は、指示体に対応する、タッチパネル（タッチパネル２）の検出面における位置を検出する検出動作を行う位置検出手段（座標算出部１２Ａ、センサ駆動部１４）と、上記タッチパネルに対する上記指示体の距離を特定する距離特定手段（距離算出部１２Ｂ、センサ駆動部１４）と、上記距離特定手段が特定した上記指示体の上記距離が所定値（第１の閾値）以下の場合は、第１リフレッシュレート（タッチ検出モードが示すリフレッシュレート）で上記タッチパネルの表示更新を行い、上記指示体の上記距離が上記所定値より大きい場合は、上記第１リフレッシュレートより低い第２リフレッシュレート（近接モード）で、上記タッチパネルの表示更新を行う表示制御手段（液晶表示コントローラ２０）と、を備え、上記位置検出手段は、上記表示制御手段が上記表示更新を行う更新期間に対応して、第１検出感度で上記検出動作を行い、上記表示制御手段が上記表示更新を休止する休止期間に対応して、上記第１検出感度より高い第２検出感度で上記検出動作を行う。
【００６６】
上記構成によると、タッチパネル制御装置は、タッチパネルと指示体との距離が所定値より大きい場合は、タッチパネルのリフレッシュレートを低くする。これにより、タッチパネルにおいて休止期間が増加する。そして、タッチパネル制御装置は当該休止期間中に、より高い検出感度（第２検出感度）で検出動作を行う。
【００６７】
一般的に、検出動作において検出感度を高くすると、タッチ検出面からより離れた距離にある指示体を検出することが可能になる一方、表示画面の更新に伴う液晶ノイズの影響もより強く受けてしまう。しかしながら、上記休止期間中は、液晶ノイズは低減されるまたは無くなるため、タッチパネルの検出感度を高めても、液晶ノイズの影響は受けにくい。したがって、タッチパネル制御装置は、表示装置の駆動に伴い発生するノイズの影響を低減しつつ、タッチパネルの検知感度を高めることができる。
【００６８】
一方、上記構成によると、タッチパネル制御装置は、タッチパネルと指示体との距離が所定値以下の場合は、タッチパネルのリフレッシュレートを高くする。これにより、タッチパネルにおいて更新期間が増加する。そして、タッチパネル制御装置は更新期間中に、低感度（第１検出感度）で検出動作を行う。つまり、タッチパネル制御装置は、更新期間中は低感度で検出動作を行うことにより、当該検出動作において受ける液晶ノイズの影響を低減することができる。
【００６９】
本発明の態様２に係るタッチパネル制御装置は、上記態様１において、上記タッチパネルに含まれる表示部は、画素電極と、上記画素電極に対向する対向電極とを備え、上記表示制御手段は、上記タッチパネルの休止期間に上記対向電極が接地状態となるように上記タッチパネルを制御してもよい。
【００７０】
上記の構成によれば、タッチパネル制御装置は、液晶ノイズを表示部の共通電極によりシールドすることができ、ノイズを低減することができる。また、タッチパネル制御装置は表示部において表示更新が行われていない期間に表示部の対向電極を接地状態とするので、表示部の画面の色変化を最小限に抑えつつ、上記ノイズを低減することができる。
【００７１】
本発明の態様３に係るタッチパネル制御装置は、上記態様１または２において、上記位置検出手段は、上記第２検出感度で上記検出動作を行うことにより、上記タッチパネルから浮いている上記指示体に対応する上記位置（ホバー座標）を検出してもよい。
【００７２】
上記の構成によれば、タッチパネル制御装置は、タッチパネルの表示更新に伴うノイズの影響を低減しつつ、タッチパネルから浮いている指示体の、当該タッチパネルに対応する位置を検出することができる。
【００７３】
本発明の態様４に係るタッチパネル制御装置は、上記態様１から３のいずれか一態様において、上記表示制御手段は、上記距離特定手段が特定した上記距離が大きくなるにつれ、上記タッチパネルのリフレッシュレートが低くなるように上記タッチパネルの上記リフレッシュレートを決定してもよい。
【００７４】
タッチパネルの検出面からより離れた距離にある指示体を検出するためには、指示体の検出動作を、より高い検出感度で行う必要がある。上記の構成によれば、タッチパネル制御装置は、指示体がタッチパネルから離れるにつれタッチパネルの休止期間を増加させ、当該休止期間に検出動作を行う。換言すると、タッチパネル制御装置は、指示体と検出面との距離が離れるにつれ、より長期間駆動し、検出動作を行うことができる。
【００７５】
したがって、タッチパネル制御装置は、液晶ノイズの影響を低減しつつ、指示体とタッチパネルの検出面との距離が遠くなるにつれ、タッチパネルの検出感度をより高めることができる。
【００７６】
本発明の態様５に係るタッチパネル制御装置は、上記態様１から４のいずれか一態様において、上記指示体に対応する、上記タッチパネルの検出面における位置と、上記タッチパネルに対する上記指示体の距離とに応じた入力信号を取得する信号取得手段（センサ信号取得部１１）を備え、上記位置検出手段は、上記入力信号から上記位置を検出し、上記距離特定手段は、上記入力信号から上記タッチパネルに対する上記指示体の距離を特定してもよい。
【００７７】
上記の構成によれば、タッチパネル制御装置は、信号取得手段が取得した入力信号から、タッチパネルに対する指示体の距離の特定と、当該指示体の、タッチパネルの検出面における位置の検出との両方を行うことができる。
【００７８】
したがって、タッチパネル制御装置は、他のセンサ等から情報を得ることなく、上記指示体の距離の特定を行うことができる。
【００７９】
本発明の態様６に係るタッチパネル制御装置は、上記態様５において、上記位置検出手段は、上記信号取得手段が上記更新期間に取得した入力信号を用いて上記タッチパネルに接触している上記指示体に対応する上記位置を検出し、上記信号取得手段が上記休止期間に取得した入力信号を用いて上記タッチパネルから浮いている上記指示体に対応する上記位置を検出してもよい。
【００８０】
上記の構成によれば、タッチパネル制御装置は、タッチパネルの更新期間中に信号取得手段が得た入力信号から、タッチパネルに対する指示体の接触（タッチ）位置を検出し、タッチパネルの休止期間中に信号取得手段が得た入力信号から、タッチパネルに対する指示体の近接（ホバー）位置を検出する。これにより、タッチパネル制御装置は、タッチパネルの表示更新に伴うノイズが少ない休止期間に、より高感度で検出が必要な、上記指示体の近接を検出する。したがって、タッチパネル制御装置は、表示装置の駆動に伴い発生するノイズの影響を低減しつつ、検知感度を高めることができる。
【００８１】
本発明の態様７に係るタッチパネル制御装置は、上記態様５または６において、上記信号取得手段は、上記更新期間において上記タッチパネルの表示画面の水平ブランキング期間に上記入力信号を取得してもよい。
【００８２】
タッチパネルの更新期間中でも、水平ブランキング期間のときは、タッチパネルの表示画面の更新は休止している。上記の構成によれば、タッチパネル制御装置は、このように表示更新が休止している水平ブランキング期間において検出動作（第１検出感度による検出動作）を行う。したがって、タッチパネル制御装置は、更新期間中に行う検出動作についても、表示装置の駆動に伴い発生するノイズを抑えることができる。
【００８３】
本発明の態様８に係るタッチパネル制御装置は、上記態様１から７のいずれか一態様において、上記表示制御手段は、上記休止期間の割合を増加させることによって、リフレッシュレートを低くしてもよい。
【００８４】
上記の構成によれば、タッチパネル制御装置は、リフレッシュレートを低下させるほど、タッチパネルの休止期間を長く確保する。そのため、当該休止期間に行う検出動作の検出感度をより高くすることができる。したがって、タッチパネル制御装置は、表示装置の駆動に伴い発生するノイズの影響を低減しつつ、タッチパネルの検知感度をより高めることができるという効果を奏する。
【００８５】
本発明の態様９に係る情報処理装置は、上記態様１から８のいずれか一態様に記載のタッチパネル制御装置と、タッチパネルと、上記タッチパネルの表示画面に表示する画像データを上記タッチパネル制御装置へと送信するホストと、を備える。
【００８６】
本発明の各態様に係るタッチパネル制御装置は、コンピュータによって実現してもよく、この場合には、コンピュータを上記タッチパネル制御装置が備える各手段として動作させることにより上記タッチパネル制御装置をコンピュータにて実現させるタッチパネル制御装置の制御プログラム、およびそれを記録したコンピュータ読み取り可能な記録媒体も、本発明の範疇に入る。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８８】
本発明は、タッチパネルの駆動を制御するタッチパネル制御装置に用いることができ、特に、スマートフォン、タブレット端末などの中小型のタッチパネルに好適に利用することができる。
【符号の説明】
【００８９】
１  タッチパネル制御装置、２  タッチパネル、３  ホスト、１１  センサ信号取得部（信号取得手段）、１２Ａ  座標算出部（位置検出手段）、１２Ｂ  距離算出部（距離特定手段）、１４  センサ駆動部（位置検出手段、距離特定手段）、２０  液晶表示コントローラ（表示制御手段）、３０  タッチセンサ、４０  液晶表示パネル
【図１】
2015141538.tif 000003
【図２】
2015141538.tif 000004
【図３】
2015141538.tif 000005
【図４】
2015141538.tif 000006
【図５】
2015141538.tif 000007
【図６】
2015141538.tif 000008